【手続補正書】
【提出日】平成17年1月24日(2005.1.24)
【手続補正１】
【補正対象書類名】明細書
【補正対象項目名】発明の名称
【補正方法】変更
【補正の内容】
【発明の名称】携帯型情報通信機
【手続補正２】
【補正対象書類名】明細書
【補正対象項目名】特許請求の範囲
【補正方法】変更
【補正の内容】
【特許請求の範囲】
【請求項１】
カメラを備え、第１のモードおよび第２のモードを含む複数の動作モードを有する携帯型情報通信機であって、
画像を受信する受信手段と、
前記カメラあるいは前記受信手段から出力された画像を表示可能な表示手段と、
前記複数の動作モードから１つのモードの選択を指示する指示手段と、
前記指示手段により前記第１のモードの選択が指示された場合は前記表示手段に画像を縦長の表示方向に表示し、前記第２のモードの選択が指示された場合は前記表示手段に画像を横長の表示方向に表示するように制御する制御手段と、
を備えていることを特徴とする携帯型情報通信機。
【請求項２】
前記制御手段は前記第１のモードが選択された場合は前記表示手段に文字を縦長の表示方向に表示し、前記第２のモードが選択された場合は前記表示手段に文字を横長の表示方向に表示することを特徴とする請求項１に記載の携帯型情報通信機。
【請求項３】
前記第１のモードは通話モードであり、前記第２のモードはカメラ撮影モードあるいは受信モードであることを特徴とする請求項１または請求項２に記載の携帯型情報通信機。
【請求項４】
カメラを備えた携帯型情報通信機であって、
画像を受信する受信手段と、
前記カメラあるいは前記受信手段から出力された画像を表示可能な表示手段と、
前記携帯型情報通信機が重力方向に対して置かれている位置を検出する検出手段と、
前記検出手段による検出結果に応じて前記表示手段に画像を縦長の表示方向あるいは横長の表示方向に切換えて表示するように制御する制御手段と、
を備えていることを特徴とする携帯型情報通信機。
【請求項５】
請求項１ないし請求項４のいずれかに記載の携帯型情報通信機は、第１のスピーカおよび第２のスピーカを備え、前記表示手段の表示方向に応じて前記第１のスピーカあるいは前記第２のスピーカのいずれか一方を動作させることを特徴とする携帯型情報通信機。
【手続補正３】
【補正対象書類名】明細書
【補正対象項目名】０００１
【補正方法】変更
【補正の内容】
【０００１】
【発明の属する技術分野】本発明は携帯型情報通信機に関する。
【手続補正４】
【補正対象書類名】明細書
【補正対象項目名】０００８
【補正方法】変更
【補正の内容】
【０００８】
本発明の目的は、通話やカメラ撮影、及び、受信等に最適な表示方向を設定する携帯型情報通信機を提供することにある。
【手続補正５】
【補正対象書類名】明細書
【補正対象項目名】０００９
【補正方法】変更
【補正の内容】
【０００９】
【課題を解決するための手段】本発明にかかる携帯型情報通信機は、カメラを備え、第１のモードおよび第２のモードを含む複数の動作モードを有する通信機であって、画像を受信する受信手段と、前記カメラあるいは前記受信手段から出力された画像を表示可能な表示手段と、前記複数の動作モードから１つのモードの選択を指示する指示手段と、前記指示手段により前記第１のモードの選択が指示された場合は前記表示手段に画像を縦長の表示方向に表示し、前記第２のモードの選択が指示された場合は前記表示手段に画像を横長の表示方向に表示するように制御する制御手段と、を備えていることを特徴とする。
【手続補正６】
【補正対象書類名】明細書
【補正対象項目名】００１０
【補正方法】変更
【補正の内容】
【００１０】
また、前記制御手段は前記第１のモードが選択された場合は前記表示手段に文字を縦長の表示方向に表示し、前記第２のモードが選択された場合は前記表示手段に文字を横長の表示方向に表示することを特徴とする。
【手続補正７】
【補正対象書類名】明細書
【補正対象項目名】００１１
【補正方法】変更
【補正の内容】
【００１１】
また、前記第１のモードは通話モードであり、前記第２のモードはカメラ撮影モードあるいは受信モードであることを特徴とする。
【手続補正８】
【補正対象書類名】明細書
【補正対象項目名】００１２
【補正方法】変更
【補正の内容】
【００１２】
また、本発明にかかる携帯型情報通信機は、カメラと、画像を受信する受信手段と、前記カメラあるいは前記受信手段から出力された画像を表示可能な表示手段と、前記携帯型情報通信機が重力方向に対して置かれている位置を検出する検出手段と、前記検出手段による検出結果に応じて前記表示手段に画像を縦長の表示方向あるいは横長の表示方向に切換えて表示するように制御する制御手段と、を備えていることを特徴とする。
【手続補正９】
【補正対象書類名】明細書
【補正対象項目名】００１３
【補正方法】変更
【補正の内容】
【００１３】
本発明にかかる携帯型情報通信機は、更に第１のスピーカおよび第２のスピーカを備え、前記表示手段の表示方向に応じて前記第１のスピーカあるいは前記第２のスピーカのいずれか一方を動作させることを特徴とする。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
【発明の実施の形態】以下、本発明の携帯型情報通信機の第１の実施例を以下説明する。図１は同発明の外形図である。１は携帯型情報通信機の本体、２は映像や文字等を液晶を用いて表示するカラー液晶表示部、３はレンズを通した可視光を撮像素子に導くカメラ頭部、４は音声信号を音声に変換する発音部（以後スピーカと呼ぶ）、５は音声や音を電気信号に変換する受音部（以後マイクと呼ぶ）、６は表示画面内に表示した各種操作指示の複数キーを示し、その６ａ〜６ｊをタッチすることにより各指示が行えるタッチスイッチ。また、６ｓｗは、機械的なプシュスイッチ、７は電波を送受信するアンテナである。同図より動作を説明する。スイッチ６ｓｗを押し、携帯型情報通信機１に電源が供給され、カラー液晶表示部２に、文字やタッチキー６ａ〜６ｊの位置とそのキーの表示方向が縦長表示として現われる。次に同図のタッチキー６ａ〜６ｊを選択してダイヤル番号を指示して相手を呼び出し通話を開始する。そして、通話中に相手側、もしくは、自分側からの画像を表示する場合は、通話指示信号から、携帯型情報通信機１の表示方向を同図の様に縦長表示にし、携帯型情報通信機１を手に持ったままの状態で、表示内容の確認を行える。
【手続補正１２】
【補正対象書類名】明細書
【補正対象項目名】００３４
【補正方法】変更
【補正の内容】
【００３４】
以上説明した実施例によれば、カラー液晶表示面の長て方向を携帯型情報通信機１の縦長方向として、表示面積を向上し、カメラ撮影時もしくは受信専用時は横長表示にしたので、見易い効果が有る。それゆえ、映像撮影も設定しやすい効果が有る。また映像撮影時は、携帯型情報通信機を横長にし、それを両手で保持するのでカメラ振れの減少の効果が有る。また、通話時は縦長表示にしたので、通話状態での見易さや操作のし易さなどの効果が有る。更に、縦長と横長表示を電子的に切換えるので、携帯時の突起を無くし、壊れにくい効果もある。
【手続補正１３】
【補正対象書類名】明細書
【補正対象項目名】００３８
【補正方法】変更
【補正の内容】
【００３８】
また、重力方向検出器は導通、非道通を検出するため、構成が簡単、かつ、内部で検出できるので携帯型情報通信機１の所持位置を制限しないため、使い易い。さらに、カラー液晶表示部と一体構成にすることにより、その液晶表示部の構成を利用でき、コストを安くできる。
【手続補正１４】
【補正対象書類名】明細書
【補正対象項目名】００３９
【補正方法】変更
【補正の内容】
【００３９】【発明の効果】通話やカメラ撮影、及び、受信等に最適な表示方向を設定する携帯型情報通信機を提供することができる。